(57)【要約】【課題】気象情報提供システムにおいて、地域ポータルサイトなどのホームページに対して、当該地域の局地的な降水量情報を提供することを目的とする。【解決手段】地域ポータルサイトなどのホームページに表示する降水量情報の範囲を規定する緯度・経度テーブルを記憶し、全国またはその緯度・経度を含む地図画像を記憶し、気象庁が発表する降水量実況値および予想値を受信し、その降水量実況・予想値を記憶し、記憶している地図画像の上に、降水量実況・予想値の値に対応するマーク等をプロットすることにより降水量分布地図画像を作成し、その作成した降水量分布地図画像を記憶し、その記憶している降水量分布地図画像を、当該ホームページを管理しているＷｅｂサーバに送信することを特徴とする気象情報提供システム。【選択図】図１
2006048609.tif 000002
【特許請求の範囲】
【請求項１】
コンピュータネットワーク上で気象に関する情報を提供する気象情報提供システムにおいて、地域ポータルサイトなどのホームページに表示する降水量情報の範囲を規定する緯度・経度テーブルを記憶する記憶手段を有し、全国またはその緯度・経度を含む地図画像を記憶する記憶手段を有し、気象庁が発表する降水量実況値および予想値を受信する受信手段を有し、受信した降水量実況・予想値を記憶する記憶手段を有し、記憶している地図画像の上に、別に記憶している降水量実況・予想値の値に相当するマーク等をプロットすることにより降水量分布地図画像を作成する画像作成手段を有し、その作成手段により作成した降水量分布地図画像を記憶する記憶手段を有し、その記憶手段により記憶している降水量分布地図画像を、当該ホームページを管理しているＷｅｂサーバに送信する送信機能を有することを特徴とする気象情報提供システム。
【請求項２】
コンピュータネットワーク上で気象に関する情報を提供する気象情報提供システムにおいて、地域ポータルサイトなどのホームページに表示する降水量情報の範囲を規定する緯度・経度テーブルを記憶する記憶手段を有し、全国またはその緯度・経度を含む地図画像を記憶する記憶手段を有し、気象庁が発表する降水量実況値および予想値を受信する受信手段を有し、受信した降水量実況・予想値を記憶する記憶手段を有し、記憶している地図画像の上に、別に記憶している降水量実況・予想値の値に相当するマーク等をプロットすることにより降水量分布地図画像を作成する画像作成手段を有し、その作成手段により作成した降水量分布地図画像を記憶する記憶手段を有し、その記憶手段により記憶している降水量分布地図画像を、当該ホームページを利用する利用者のパソコンからの送信要求により、当該利用者のパソコンに送信する送信機能を有することを特徴とする気象情報提供システム。
【発明の詳細な説明】
【技術分野】
【０００１】本発明は、コンピュータネットワーク上で、気象に関する情報を提供する気象情報提供システムに関する。
【背景技術】
【０００２】近年、インターネット上で、各地域の情報を紹介する、いわゆる地域ポータルサイトが増えてきている。それらは、自治体、観光協会、商店街、あるいは個人が運営し、市町村、観光地、商店街など、その地域における観光、産業、イベント等を紹介し、その地域を訪れる人々あるいは住民が必要とする情報をワンストップで提供するものである。【０００３】そのような地域ポータルサイトでは、その地域の気象情報を提供するものもあるが、多くは、その地域を含む広いエリアの気象情報を掲載するか、または他の気象情報のページにリンクを張っていることが多く、その地域に訪れる人あるいは住民に特に役立つ気象情報とは言えない場合も少なくない。
【発明の開示】
【発明が解決しようとする課題】
【０００４】本発明では、地域ポータルサイトなどのホームページに対して、当該地域の局地的な降水量情報を提供することを目的とする。
【課題を解決するための手段】
【０００５】本発明は、上記の目的を達成するため、気象情報提供システムの中に、第１に、地域ポータルサイトなどのホームページに表示する降水量情報の範囲を規定する緯度・経度テーブルを記憶する記憶手段を設け、第２に、全国またはその緯度・経度を含む地図画像を記憶する記憶手段を設け、第３に、気象庁が発表する降水量実況値および予想値を受信する受信手段を設け、第４に、第３の受信手段によって受信した降水量実況・予想値を記憶する記憶手段を設け、第５に、第２の記憶手段によって記憶している地図画像の上に、第４の記憶手段によって記憶している降水量実況・予想値の値に相当するマーク等をプロットすることにより降水量分布地図画像を作成する画像作成手段を設け、第６に、第５の画像作成手段により作成した降水量分布地図画像を記憶する記憶手段を設け、第７に、第６の記憶手段により記憶している降水量分布地図画像を、当該ホームページを管理しているＷｅｂサーバに送信する送信機能を設けることを提案する。【０００６】さらに、本発明は、上記の目的を達成するため、気象情報提供システムの中に、第１に、地域ポータルサイトなどのホームページに表示する降水量情報の範囲を規定する緯度・経度テーブルを記憶する記憶手段を設け、第２に、全国またはその緯度・経度を含む地図画像を記憶する記憶手段を設け、第３に、気象庁が発表する降水量実況値および予想値を受信する受信手段を設け、第４に、第３の受信手段によって受信した降水量実況・予想値を記憶する記憶手段を設け、第５に、第２の記憶手段によって記憶している地図画像の上に、第４の記憶手段によって記憶している降水量実況・予想値の値に相当するマーク等をプロットすることにより降水量分布地図画像を作成する画像作成手段を設け、第６に、第５の画像作成手段により作成した降水量分布地図画像を記憶する記憶手段を設け、第７に、当該ホームページを利用する利用者のパソコンからの送信要求により、第６の記憶手段により記憶している降水量分布地図画像を、当該利用者のパソコンに送信する送信機能を設けることを提案する。
【発明の効果】
【０００７】本発明により、利用者は、地域ポータルサイトなどのホームページを閲覧することにより、当該地域の局地的な降水量情報を得ることができる。
【発明を実施するための最良の形態】
【０００８】発明を実施するための最良の形態を、図１から図６を用いて、以下に説明する。図１は、本発明を実施するための最良の形態に係るシステム構成図を示す。同図において、１は気象情報を提供する気象情報サーバを示す。１１および１２は、気象情報サーバ１内で動作する通信制御部およびデータ処理部を示し、１３は、気象情報サーバ１内のハードディスクを示す。また、気象情報サーバ１は、インターネット２を介して、気象業務支援センター３に接続されている。４は、地域ポータルサイトなどのホームページを管理しているＷｅｂサーバを示し、インターネット２を介して気象情報サーバ１と接続されている。また、５は一般の利用者が使用するパソコンを示し、インターネット２を介してＷｅｂサーバ４と接続されている。【０００９】気象情報サーバ１内のハードディスク１３内には、あらかじめ、緯度・経度テーブル１３ａを作成しておき、そこに、図２に１例を示すように、地域ポータルサイトなどのホームページごとに、降水量を表示する地域の緯度・経度を記憶しておく。また、気象情報サーバ１内のハードディスク１３内には、あらかじめ、全国または当該緯度・経度を含む地域の白地図画像ファイル１３ｃを用意しておく。【００１０】次に、気象情報サーバ１内の通信制御部１１の気象業務支援センターからのデータ受信手段１１ａは、気象業務支援センター３が一定時間間隔で送信するレーダー・アメダス解析雨量および降水短時間雨量のデータを、インターネット２を介して受信する。つづいて、データ処理部１２の降水量分布地図画像作成手段１２ａは、図３のフローチャートに従って処理を行う。まず、ステップＳ０１にて、気象業務支援センター３からの受信データがあるかどうか判断し、データがある場合は、ステップＳ０２にて、そのデータを編集し、図４に１例を示す降水量実況・予想値テーブル１３ｂを作成し、ハードディスク１３に格納する。ここで、実況値および予想値は各格子点に対応するものであるが、各格子点の緯度経度の情報は、気象業務支援センター３が送信するデータに含まれており、予告なく変更される可能性があるため、データ受信のたびに更新する必要がある。【００１１】つづいて、降水量分布地図画像作成手段１２ａは、図３のフローチャートのステップＳ０３にて、緯度・経度テーブル１３ａのホームページごとの緯度経度に相当する降水量データを、以下の計算式により、降水量実況・予想値テーブル１３ｂより読み出す。ただし、読み出すべき値の格子点番号、緯度、経度を、それぞれ、ｎ（ｉ）、ｙ（ｉ）、ｘ（ｉ）とする。また、格子点の開始ポイントの緯度、経度をｙ（ｓ）、ｘ（ｓ）、格子点の終了ポイントの緯度、経度をｙ（ｅ）、ｘ（ｅ）、格子点間隔の緯度、経度を△ｙ、△ｘとする。
【数１】
2006048609.tif 000003
つづいて、読み出した値に対応してあらかじめ決められた色のマーク等を白地図画像１３ｃ上にプロットすることにより、降水量分布地図画像１３ｄを作成し、ハードディスク１３に格納する。【００１２】次に、Ｗｅｂサーバへの情報送信手段１１ｂは、緯度・経度テーブル１３ａのホームページごとの送信先アドレスに対して、降水量分布地図画像１３ｄを送信する。このときの送信手順を、図５に示す。気象情報サーバ１では、降水量分布地図画像作成手段１２ａに続いて、ステップＳ１１にて降水量分布地図画像受信処理の起動要求を、Ｗｅｂサーバ４に送信する。Ｗｅｂサーバ４では、この起動要求に対して、ステップＳ１２にて降水量分布地図画像受信処理を起動し、ステップＳ１３にて気象情報サーバ１に対して降水量分布地図画像の送信要求を送信する。気象情報サーバ１は、この要求に対して、ステップＳ１４にてＷｅｂサーバ４への降水量分布地図画像送信を行う。Ｗｅｂサーバ４では、ステップＳ１５にて受信した降水量分布地図画像をハードディスク４３に格納する。【００１３】次に、利用者が当該ホームページを閲覧するときに、利用者パソコン５において、図５のステップＳ２１にてホームページ閲覧のためのブラウザ５１が起動された場合、ステップＳ２２にてホームページ送信要求がＷｅｂサーバ４に送信され、Ｗｅｂサーバ４では、４１ｃのｈｔｔｐがステップＳ２３にて、ホームページを構成するファイルを利用者パソコン５に送信する。次に、そのホームページの中で指定されている降水量分布地図画像の送信要求が、ステップＳ２４にて利用者パソコン５のブラウザ５１からＷｅｂサーバ４に送信され、Ｗｅｂサーバ４では、４１ｃのｈｔｔｐｄが、ステップＳ２５にて、降水量分布地図画像を利用者パソコン５に送信する。利用者パソコン５では、ステップＳ２６にてブラウザ５１の画面に、降水量分布地図画像を含むホームページが表示される。ここで表示されるホームページの１例を図６に示す。
【実施例】
【００１４】図７は、本発明の実施例に係るシステム構成図を示す。同図において、図１と同一の符号を付したものは、同一の対象を示す。図７において、図１と異なる点は、気象情報サーバ１の通信制御部１１に、Ｗｅｂサーバ４への情報送信手段を設けるかわりに、利用者パソコン５との通信手段であるｈｔｔｐｄを１１ｃとして設けていることである。【００１５】この場合、図８に示した本発明の実施例における気象情報サーバ、Ｗｅｂサーバ、利用者パソコンの通信手順に従い、気象情報サーバ１は、降水量分布地図画像作成手段１２ａによって作成した降水量分布地図画像ファイル１３ｄを、Ｗｅｂサーバ４には送信せず、ステップＳ３１における利用者パソコン５のブラウザ５１からの降水量分布地図画像送信要求に応じ、ステップＳ３２において、１１ｃのｈｔｔｐｄが利用者パソコン５に降水量分布地図画像を送信する。このことにより、ステップＳ２６において、利用者パソコン５では、ブラウザ５１の画面に、降水量分布地図画像を含むホームページが表示される。
【図面の簡単な説明】
【００１６】
【図１】本発明を実施するための最良の形態に係るシステム構成図を示す。
【図２】緯度・経度テーブルの一例を示す。
【図３】降水量分布地図画像作成手段の動作を説明するフローチャートを示す。
【図４】降水量実況・予想値テーブルの一例を示す。
【図５】気象情報サーバ、Ｗｅｂサーバ、利用者パソコンの通信手順を示す。
【図６】本発明を利用したホームページの一例を示す。
【図７】本発明の実施例に係るシステム構成図を示す。
【図８】本発明の実施例における気象情報サーバ、Ｗｅｂサーバ、利用者パソコンの通信手順を示す。
【符号の説明】
【００１７】    １は気象情報サーバ
１１は通信制御部
１１ａは気象業務支援センターからのデータ受信手段
１１ｂはＷｅｂサーバへの情報送信手段
１１ｃはｈｔｔｐｄ
１２はデータ処理部
１２ａは降水量分布地図画像作成手段
１３はハードディスク
１３ａは緯度・経度テーブル
１３ｂは降水量実況・予想値テーブル
１３ｃは白地図画像ファイル
１３ｄは降水量分布地図画像ファイル
２はインターネット
３は気象業務支援センター
４はＷｅｂサーバ
４１は通信制御部
４１ａは気象情報サーバからの情報受信手段
４１ｃはｈｔｔｐｄ
４３はハードディスク
４３ａはホームページ
４３ｄは降水量分布地図画像ファイル
５は利用者パソコン
５１はブラウザ
【図１】
2006048609.tif 000004
【図２】
2006048609.tif 000005
【図３】
2006048609.tif 000006
【図４】
2006048609.tif 000007
【図５】
2006048609.tif 000008
【図６】
2006048609.tif 000009
【図８】
2006048609.tif 000010
【図７】
2006048609.tif 000011